(57)【要約】【課題】穿孔深さを制御することができる歯科用ドリルを提供することである。【解決手段】先端部２ａに位置している刃部２１を有する略円柱状の本体部２と、長尺状の一対の第１部材４、４を有するストッパー部３と、を備えている、歯科用ドリル１Ａである。歯科用ドリル１Ａにおいて、ストッパー部３は、一対の第１部材４、４のそれぞれの先端部４ａが刃部２１よりも本体部２の後端部２ｂ側において本体部２の長手方向ａに沿って移動可能な状態で、本体部２に取り付けられている。【選択図】図１
0003206387.tif 000002
【実用新案登録請求の範囲】
【請求項１】
先端部に位置している刃部を有する略円柱状の本体部と、
長尺状の一対の第１部材を有するストッパー部と、を備え、
前記ストッパー部は、前記一対の第１部材のそれぞれの先端部が前記刃部よりも前記本体部の後端部側において前記本体部の長手方向に沿って移動可能な状態で、前記本体部に取り付けられている、歯科用ドリル。
【請求項２】
前記本体部は、
その外周部において回転軸を間に挟んで互いに対向するように位置している一対の第１凸部と、
前記一対の第１凸部よりも後端部側に位置しており前記本体部の長手方向に沿って延びている貫通溝と、をさらに有し、
前記ストッパー部は、
一端部側にネジ部を有しており前記貫通溝に挿通可能な軸状の第２部材と、
前記ネジ部に螺合可能な環状の第３部材と、をさらに有し、
前記一対の第１部材はいずれも、
その長手方向に沿って位置しており前記一対の第１凸部を挿通可能な複数の第１貫通孔と、
前記複数の第１貫通孔よりも後端部側に位置しており前記第２部材を挿通可能な第２貫通孔と、を有し、
前記第２部材は、その他端部側に位置しており直径が前記第２貫通孔の直径よりも大きい係止部をさらに有する、請求項１に記載の歯科用ドリル。
【請求項３】
前記本体部は、その外周部において前記本体部を間に挟んで互いに対向するように位置している一対の第１凸部をさらに有し、
前記ストッパー部は、
両端部側に一対のネジ部を有しており前記貫通溝に挿通可能な軸状の第２部材と、
前記一対のネジ部にそれぞれ螺合可能な環状の一対の第３部材と、をさらに有し、
前記一対の第１部材はいずれも、
その長手方向に沿って位置しており前記一対の第１凸部を挿通可能な複数の第１貫通孔と、
前記複数の第１貫通孔よりも後端部側に位置しており前記第２部材を挿通可能な第２貫通孔と、を有し、
前記第２部材は、その長手方向における中央部に位置しており前記本体部を挿通可能な環状の第１部位をさらに有する、請求項１に記載の歯科用ドリル。
【請求項４】
前記本体部は、
その外周部において前記本体部を間に挟んで互いに対向するように位置している一対の第１凸部と、
前記一対の第１凸部よりも後端部側に位置しており前記本体部の長手方向に沿って延びている貫通溝と、をさらに有し、
前記ストッパー部は、
一端部側にネジ部を有しており前記貫通溝に挿通可能な軸状の第２部材と、
前記ネジ部に螺合可能な環状の第３部材と、をさらに有し、
前記一対の第１部材はいずれも、
その長手方向に沿って位置しており前記一対の第１凸部を挿通可能な複数の第１貫通孔と、
前記複数の第１貫通孔よりも後端部側に位置しており前記第２部材を挿通可能な第２貫通孔と、
先端部に接続しており前記本体部を挿通可能な環状の第２部位と、を有し、
前記第２部材は、その他端部側に位置しており直径が前記第２貫通孔の直径よりも大きい係止部をさらに有する、請求項１に記載の歯科用ドリル。
【請求項５】
前記本体部は、その外周部において回転軸を間に挟んで互いに対向しており前記本体部の長手方向に沿って位置している複数の挿通孔をさらに有し、
前記一対の第１部材はいずれも、
互いに対向するように位置しており前記複数の挿通孔に挿通可能な一対の第２凸部と、
先端部に接続しており前記本体部を挿通可能な環状の第２部位と、を有する、請求項１に記載の歯科用ドリル。
【考案の詳細な説明】
【技術分野】
【０００１】
本考案は、歯科用ドリルに関する。
【背景技術】
【０００２】
歯科用ドリル（以下、「ドリル」と言うことがある。）は、歯科インプラント埋植手術においてフィクスチャーの埋入孔を患者の歯槽骨に穿孔するときに使用される。また、ドリルの穿孔深さを制御するため、ドリルにストッパーリングを取り付けることも知られている（例えば、特許文献１参照）。
【先行技術文献】
【特許文献】
【０００３】
【特許文献１】特開２０１３−２２３７８号公報
【考案の概要】
【考案が解決しようとする課題】
【０００４】
本考案の課題は、穿孔深さを制御することができる歯科用ドリルを提供することである。
【課題を解決するための手段】
【０００５】
本考案者は、上記課題を解決すべく鋭意研究を重ねた結果、以下の構成からなる解決手段を見出し、本考案を完成するに至った。
（１）先端部に位置している刃部を有する略円柱状の本体部と、長尺状の一対の第１部材を有するストッパー部と、を備え、前記ストッパー部は、前記一対の第１部材のそれぞれの先端部が前記刃部よりも前記本体部の後端部側において前記本体部の長手方向に沿って移動可能な状態で、前記本体部に取り付けられている、歯科用ドリル。
（２）前記本体部は、その外周部において回転軸を間に挟んで互いに対向するように位置している一対の第１凸部と、前記一対の第１凸部よりも後端部側に位置しており前記本体部の長手方向に沿って延びている貫通溝と、をさらに有し、前記ストッパー部は、一端部側にネジ部を有しており前記貫通溝に挿通可能な軸状の第２部材と、前記ネジ部に螺合可能な環状の第３部材と、をさらに有し、前記一対の第１部材はいずれも、その長手方向に沿って位置しており前記一対の第１凸部を挿通可能な複数の第１貫通孔と、前記複数の第１貫通孔よりも後端部側に位置しており前記第２部材を挿通可能な第２貫通孔と、を有し、前記第２部材は、その他端部側に位置しており直径が前記第２貫通孔の直径よりも大きい係止部をさらに有する、前記（１）に記載の歯科用ドリル。
（３）前記本体部は、その外周部において前記本体部を間に挟んで互いに対向するように位置している一対の第１凸部をさらに有し、前記ストッパー部は、両端部側に一対のネジ部を有しており前記貫通溝に挿通可能な軸状の第２部材と、前記一対のネジ部にそれぞれ螺合可能な環状の一対の第３部材と、をさらに有し、前記一対の第１部材はいずれも、その長手方向に沿って位置しており前記一対の第１凸部を挿通可能な複数の第１貫通孔と、前記複数の第１貫通孔よりも後端部側に位置しており前記第２部材を挿通可能な第２貫通孔と、を有し、前記第２部材は、その長手方向における中央部に位置しており前記本体部を挿通可能な環状の第１部位をさらに有する、前記（１）に記載の歯科用ドリル。
（４）前記本体部は、その外周部において前記本体部を間に挟んで互いに対向するように位置している一対の第１凸部と、前記一対の第１凸部よりも後端部側に位置しており前記本体部の長手方向に沿って延びている貫通溝と、をさらに有し、前記ストッパー部は、一端部側にネジ部を有しており前記貫通溝に挿通可能な軸状の第２部材と、前記ネジ部に螺合可能な環状の第３部材と、をさらに有し、前記一対の第１部材はいずれも、その長手方向に沿って位置しており前記一対の第１凸部を挿通可能な複数の第１貫通孔と、前記複数の第１貫通孔よりも後端部側に位置しており前記第２部材を挿通可能な第２貫通孔と、先端部に接続しており前記本体部を挿通可能な環状の第２部位と、を有し、前記第２部材は、その他端部側に位置しており直径が前記第２貫通孔の直径よりも大きい係止部をさらに有する、前記（１）に記載の歯科用ドリル。
（５）前記本体部は、その外周部において回転軸を間に挟んで互いに対向しており前記本体部の長手方向に沿って位置している複数の挿通孔をさらに有し、前記一対の第１部材はいずれも、互いに対向するように位置しており前記複数の挿通孔に挿通可能な一対の第２凸部と、先端部に接続しており前記本体部を挿通可能な環状の第２部位と、を有する、前記（１）に記載の歯科用ドリル。
【考案の効果】
【０００６】
本考案によれば、穿孔深さを制御することができるという効果がある。
【図面の簡単な説明】
【０００７】
【図１】本考案の第１実施形態に係る歯科用ドリルを示す斜視図である。
【図２】図１に示す歯科用ドリルを示す側面図である。
【図３】図１に示す歯科用ドリルを分解して示す図であり、（ａ）は本体部を示す斜視図、（ｂ）はストッパー部を示す斜視図である。
【図４】（ａ）および（ｂ）は、図１に示す歯科用ドリルを示す説明図である。
【図５】図１に示す歯科用ドリルの変形例を示す説明図である。
【図６】本考案の第２実施形態に係る歯科用ドリルを示す斜視図である。
【図７】図６に示す歯科用ドリルを示す側面図である。
【図８】図６に示す歯科用ドリルを分解して示す図であり、（ａ）は本体部を示す斜視図、（ｂ）はストッパー部を示す斜視図である。
【図９】本考案の第３実施形態に係る歯科用ドリルを示す斜視図である。
【図１０】図９に示す歯科用ドリルを示す側面図である。
【図１１】図９に示す歯科用ドリルを分解して示す図であり、（ａ）は本体部を示す斜視図、（ｂ）はストッパー部を示す斜視図である。
【図１２】本考案の第４実施形態に係る歯科用ドリルを示す斜視図である。
【図１３】図１２に示す歯科用ドリルを示す側面図である。
【図１４】図１２に示す歯科用ドリルを分解して示す図であり、（ａ）は本体部を示す斜視図、（ｂ）はストッパー部を示す斜視図である。
【考案を実施するための形態】
【０００８】
＜歯科用ドリル＞
（第１実施形態）
以下、本考案の第１実施形態に係る歯科用ドリルについて、図１〜図５を参照して詳細に説明する。
【０００９】
図１〜図３に示すように、本実施形態のドリル１Ａは、本体部２およびストッパー部３を備えている。本体部２は、略円柱状の部材であり、その先端部２ａに位置している刃部２１を有している。ストッパー部３は、長尺状の部材である一対の第１部材４、４を有している。そして、ストッパー部３は、図４に示すように、一対の第１部材４、４のそれぞれの先端部４ａが刃部２１よりも本体部２の後端部２ｂ側において本体部２の長手方向ａに沿って移動可能な状態で、本体部２に取り付けられている。これらの構成によれば、ストッパーとして機能する一対の第１部材４、４のそれぞれの先端部４ａの位置を本体部２の長手方向ａに沿って調整できることから、ドリル１Ａの穿孔深さを制御することが可能となる。以下、ドリル１Ａの各構成部材について、具体的に説明する。
【００１０】
図３（ａ）に示すように、本体部２は、一対の第１凸部２２、２２および貫通溝２３をさらに有している。
【００１１】
一対の第１凸部２２、２２は、図２に示すように、本体部２の外周部２ｃにおいて、ドリル１Ａの回転軸Ｓを間に挟んで互いに対向するように位置している。本実施形態では、本体部２が、その長手方向ａにおける略中央部に位置しているフランジ部２４をさらに有している。そして、一対の第１凸部２２、２２はいずれも、フランジ部２４を介して本体部２の外周部２ｃに接続している。なお、一対の第１凸部２２、２２はいずれも、本体部２の外周部２ｃに直接接続していてもよい。
【００１２】
貫通溝２３は、図３（ａ）に示すように、一対の第１凸部２２、２２よりも本体部２の後端部２ｂ側に位置しており、本体部２の長手方向ａに沿って延びている。
【００１３】
ストッパー部３は、図３（ｂ）に示すように、第２部材５および第３部材６をさらに有している。第２部材５は、軸状の部材であり、本体部２の貫通溝２３に挿通可能に構成されている。また、第２部材５は、一端部５ａ側にネジ部５１を有している。第３部材６は、環状の部材であり、第２部材５のネジ部５１に螺合可能に構成されている。
【００１４】
本実施形態のストッパー部３における一対の第１部材４、４はいずれも、板状の部材である。そして、一対の第１部材４、４はいずれも、複数の第１貫通孔４１および１つの第２貫通孔４２を有している。
【００１５】
複数の第１貫通孔４１は、第１部材４の長手方向ｂに沿って位置している。また、複数の第１貫通孔４１は、本体部２における一対の第１凸部２２、２２を挿通可能に構成されている。複数の第１貫通孔４１は、互いに等間隔に位置していてもよいし、非等間隔に位置していてもよい。等間隔とは、実質的に等間隔であればよく、若干の誤差があってもよいことを意味するものとする。本実施形態では、複数の第１貫通孔４１が、互いに等間隔に位置している。第１貫通孔４１の数は、例えば、２〜３０個であるが、これに限定されるものではない。
【００１６】
第２貫通孔４２は、複数の第１貫通孔４１よりも第１部材４の後端部４ｂ側に位置しており、第２部材５を挿通可能に構成されている。なお、第２貫通孔４２は、その構成が第１貫通孔４１の構成と同一であってもよい。言い換えれば、複数の第１貫通孔４１のうち最も後端部４ｂ側に位置している第１貫通孔４１を第２貫通孔４２としてもよい。
【００１７】
一方、上述した第２部材５は、その他端部５ｂ側に位置している係止部５２をさらに有している。係止部５２は、その直径が第１部材４における第２貫通孔４２の直径よりも大きい部位である。
【００１８】
ここで、上述した各構成によれば、ストッパー部３を、以下の（ａ）〜（ｄ）の状態で、本体部２に取り付けることができる。
（ａ）図１に示すように、ストッパー部３の第１部材４における複数の第１貫通孔４１のうちの１つに、本体部２の第１凸部２２を挿通させている。
（ｂ）ストッパー部３の第２部材５を、本体部２の貫通溝２３に挿通させている。
（ｃ）第２部材５の一端部５ａ側を、一対の第１部材４、４のうち一方の第１部材４ｘの第２貫通孔４２に挿通させており、ネジ部５１に第３部材６を螺合させて第１部材４ｘに係止させている。
（ｄ）第２部材５の他端部５ｂ側を、一対の第１部材４、４のうち他方の第１部材４ｙの第２貫通孔４２に挿通させており、係止部５２により第１部材４ｙに係止させている。
【００１９】
上述した（ａ）〜（ｄ）の状態でストッパー部３を本体部２に取り付けると、一対の第１部材４、４のそれぞれの先端部４ａを刃部２１よりも本体部２の後端部２ｂ側において本体部２の長手方向ａに沿って移動させることが可能となる。例えば、先端部４ａの位置を、図４（ａ）に示す位置Ｌ１から図４（ｂ）に示す位置Ｌ２に移動させる場合には、複数の第１貫通孔４１のうち第１部材４の後端部４ｂ側に位置している第１貫通孔４１に第１凸部２２を挿通させればよい。これに伴い、第２部材５が貫通溝２３をスライド移動し、結果として先端部４ａの位置を図４（ａ）に示す位置Ｌ１から図４（ｂ）に示す位置Ｌ２に移動させることができる。先端部４ａは、フィクスチャーの埋入孔を患者の歯槽骨に穿孔するとき、ドリル１Ａのストッパーとして機能する部位である。言い換えれば、ドリル１Ａを使用してフィクスチャーの埋入孔を患者の歯槽骨に穿孔したとき、先端部４ａの位置Ｌ１、Ｌ２は、骨縁に相当することになる。したがって、先端部４ａの位置を図４（ｂ）に示す位置Ｌ２にすると、ドリル１Ａの穿孔深さＤを相対的に小さくすることができる。その結果、フィクスチャーの歯槽骨内に埋入される部位の長さである骨内長が小さい場合に対応することができる。このように、ドリル１Ａによれば、第１凸部２２を挿通させる第１貫通孔４１により先端部４ａの位置を本体部２の長手方向ａに沿って調整し、穿孔深さを制御することができるので、穿孔深さが異なるごとに対応するストッパーリングを準備する必要がなく、それゆえ種類が多くなることもなく、骨内長が異なるフィクスチャーに対して１つのドリルで対応することが可能となる。
【００２０】
また、ドリル１Ａによれば、穿孔径を制御することもできる。具体的に説明すると、図５に示すドリル１Ａ’では、形成される穿孔径に相当する本体部２の直径Ｗが比較的大きい。このような場合には、ストッパー部３の第３部材６の位置を矢印ｃに示す外方側に調整し、係止部５２および第３部材６の間の距離を大きくすることによって、ストッパー部３を本体部２に取り付けることができる。その結果、形成される穿孔径を大きくすることができ、埋入するフィクスチャーの直径が大きい場合に対応することができる。このように、ドリル１Ａによれば、第３部材６の位置を調整して係止部５２および第３部材６の間の距離を調整することができるので、本体部２の直径Ｗが異なっていてもストッパー部３を本体部２に取り付けることができ、結果として穿孔径を制御することができ、直径が異なるフィクスチャーに対しても対応することが可能となる。
【００２１】
上述した本体部２の構成材料としては、例えば、チタン合金、ステンレス鋼（ＳＵＳ）などが挙げられる。また、ストッパー部３の構成材料としては、例えば、チタン合金、ＳＵＳ、合成樹脂などが挙げられる。
【００２２】
（第２実施形態）
次に、本考案の第２実施形態に係る歯科用ドリルについて、図６〜図８を参照して詳細に説明する。なお、図６〜図８においては、上述した図１〜図５と同一の構成部分には同一の符号を付して説明は省略する場合がある。
【００２３】
図６〜図８に示すように、本実施形態のドリル１Ｂでは、本体部２が貫通溝２３を有しておらず、ストッパー部３における第２部材５および第３部材６の構成が上述した実施形態と異なっている。
【００２４】
具体的に説明すると、本実施形態では、ストッパー部３の第２部材５が、一端部５ａ側および他端部５ｂ側のそれぞれにネジ部５１を有している。言い換えれば、本実施形態の第２部材５は、その両端部側に一対のネジ部５１、５１を有している。
【００２５】
また、第２部材５は、図８（ｂ）に示すように、その長手方向ｄにおける中央部に位置しており本体部２を挿通可能な環状の第１部位５３をさらに有している。このような構成を有する第１部位５３は、その内部に本体部２を挿通させつつ本体部２の長手方向ａに沿ってスライド移動することができる。
【００２６】
そして、本実施形態のストッパー部３は、一対のネジ部５１、５１にそれぞれ螺合可能な環状の一対の第３部材６、６をさらに有している。
【００２７】
上述した各構成によれば、ストッパー部３を、以下の（ａ）〜（ｄ）の状態で、本体部２に取り付けることができる。
（ａ）図６に示すように、ストッパー部３の第１部材４における複数の第１貫通孔４１のうちの１つに、本体部２の第１凸部２２を挿通させている。
（ｂ）ストッパー部３の第２部材５における第１部位５３に、本体部２を挿通させている。
（ｃ）第２部材５の一端部５ａ側を、一対の第１部材４、４のうち一方の第１部材４ｘの第２貫通孔４２に挿通させており、ネジ部５１に第３部材６を螺合させて第１部材４ｘに係止させている。
（ｄ）第２部材５の他端部５ｂ側を、一対の第１部材４、４のうち他方の第１部材４ｙの第２貫通孔４２に挿通させており、ネジ部５１に第３部材６を螺合させて第１部材４ｙに係止させている。
【００２８】
上述した（ａ）〜（ｄ）の状態でストッパー部３を本体部２に取り付けると、上述した実施形態と同様に、一対の第１部材４、４のそれぞれの先端部４ａを刃部２１よりも本体部２の後端部２ｂ側において本体部２の長手方向ａに沿って移動させることが可能となる。また、一対の第３部材６、６のそれぞれの位置を調整して一対の第３部材６、６の間の距離を調整することができるので、本体部２の直径が異なっていてもストッパー部３を本体部２に取り付けることができる。さらに、本体部２が貫通溝２３を有していないことから、本体部２の強度を維持することができる。
その他の構成は、上述した第１実施形態に係るドリル１Ａと同様であるので、説明を省略する。
【００２９】
（第３実施形態）
次に、本考案の第３実施形態に係る歯科用ドリルについて、図９〜図１１を参照して詳細に説明する。なお、図９〜図１１においては、上述した図１〜図１０と同一の構成部分には同一の符号を付して説明は省略する場合がある。
【００３０】
図９〜図１１に示すように、本実施形態のドリル１Ｃでは、ストッパー部３における第１部材４の構成が上述した実施形態と異なっている。具体的に説明すると、本実施形態では、図１１（ｂ）に示すように、ストッパー部３における一対の第１部材４、４がいずれも、先端部４ａに接続しており本体部２を挿通可能な環状の第２部位４３をさらに有している。このような構成を有する第２部位４３は、その内部に本体部２を挿通させつつ本体部２の長手方向ａに沿ってスライド移動することができる。また、本実施形態では、第２部位４３のうち刃部２１側に位置している端部４３１が、ストッパーとして機能する。
【００３１】
上述した構成によれば、ストッパー部３を、以下の（ａ）〜（ｅ）の状態で、本体部２に取り付けることができる。
（ａ）図９に示すように、ストッパー部３の第１部材４における複数の第１貫通孔４１のうちの１つに、本体部２の第１凸部２２を挿通させている。
（ｂ）第１部材４における第２部位４３に、本体部２を挿通させている。
（ｃ）ストッパー部３の第２部材５を、本体部２の貫通溝２３に挿通させている。
（ｄ）第２部材５の一端部５ａ側を、一対の第１部材４、４のうち一方の第１部材４ｘの第２貫通孔４２に挿通させており、ネジ部５１に第３部材６を螺合させて第１部材４ｘに係止させている。
（ｅ）第２部材５の他端部５ｂ側を、一対の第１部材４、４のうち他方の第１部材４ｙの第２貫通孔４２に挿通させており、係止部５２により第１部材４ｙに係止させている。
【００３２】
上述した（ａ）〜（ｅ）の状態でストッパー部３を本体部２に取り付けると、上述した実施形態と同様に、一対の第１部材４、４のそれぞれの先端部４ａ（第２部位４３の端部４３１）を刃部２１よりも本体部２の後端部２ｂ側において本体部２の長手方向ａに沿って移動させることが可能となる。また、ストッパーとして機能する部位の面積が大きくなることから、ストッパーの機能を向上させることができる。
その他の構成は、上述した第１、第２実施形態に係るドリル１Ａ、１Ｂと同様であるので、説明を省略する。
【００３３】
（第４実施形態）
次に、本考案の第４実施形態に係る歯科用ドリルについて、図１２〜図１４を参照して詳細に説明する。なお、図１２〜図１４においては、上述した図１〜図１１と同一の構成部分には同一の符号を付して説明は省略する場合がある。
【００３４】
図１２〜図１４に示すように、本実施形態のドリル１Ｄでは、本体部２およびストッパー部３における第１部材４の構成が上述した実施形態と異なっている。具体的に説明すると、本実施形態では、図１４（ａ）に示すように、本体部２が、複数の挿通孔２５をさらに有している。複数の挿通孔２５はいずれも、図１３に示すように、本体部２の外周部２ｃにおいて、ドリル１Ｄの回転軸Ｓを間に挟んで互いに対向するように位置している。また、複数の挿通孔２５はいずれも、本体部２の長手方向ａに沿って位置している。
【００３５】
ストッパー部３における一対の第１部材４、４はいずれも、図１４（ｂ）に示すように、互いに対向するように位置しており複数の挿通孔２５に挿通可能な一対の第２凸部４４、４４を有している。また、一対の第１部材４、４はいずれも、上述した第３実施形態と同様に、先端部４ａに接続しており本体部２を挿通可能な環状の第２部位４３をさらに有している。
【００３６】
上述した各構成によれば、ストッパー部３を、以下の（ａ）〜（ｂ）の状態で、本体部２に取り付けることができる。
（ａ）図１３に示すように、本体部２の複数の挿通孔２５のうちの１つに、ストッパー部３の第１部材４における第２凸部４４を挿通させている。
（ｂ）第１部材４における第２部位４３に、本体部２を挿通させている。
【００３７】
上述した（ａ）〜（ｂ）の状態でストッパー部３を本体部２に取り付けると、上述した実施形態と同様に、一対の第１部材４、４のそれぞれの先端部４ａ（第２部位４３の端部４３１）を刃部２１よりも本体部２の後端部２ｂ側において本体部２の長手方向ａに沿って移動させることが可能となる。
【００３８】
本実施形態では、図１４（ａ）に示すように、複数の挿通孔２５がいずれも、本体部２の後端部２ｂ側に位置している。複数の挿通孔２５は、互いに等間隔に位置していてもよいし、非等間隔に位置していてもよい。本実施形態では、複数の挿通孔２５が、互いに等間隔に位置している。挿通孔２５の数は、例えば、２〜３０個であるが、これに限定されるものではない。挿通孔２５は、本体部２を貫通していてもよいし、貫通していなくてもよい。
【００３９】
第１部材４は、本体部２に取り付けるうえで、弾性変形可能に構成されているのがよい。本実施形態では、図１４（ｂ）に示すように、一対の第２凸部４４、４４がいずれも、第１部材４の長手方向ｂにおける略中央部に位置している。
その他の構成は、上述した第１〜第３実施形態に係るドリル１Ａ〜１Ｃと同様であるので、説明を省略する。
【符号の説明】
【００４０】
１Ａ、１Ａ’、１Ｂ〜１Ｄ  歯科用ドリル
２  本体部
２ａ  先端部
２ｂ  後端部
２ｃ  外周部
２１  刃部
２２  第１凸部
２３  貫通溝
２４  フランジ部
２５  挿通孔
３  ストッパー部
４  第１部材
４ａ  先端部
４ｂ  後端部
４１  第１貫通孔
４２  第２貫通孔
４３  第２部位
４３１  端部
４４  第２凸部
４ｘ  一方の第１部材
４ｙ  他方の第１部材
５  第２部材
５ａ  一端部
５ｂ  他端部
５１  ネジ部
５２  係止部
５３  第１部位
６  第３部材
【図１】
0003206387.tif 000003
【図２】
0003206387.tif 000004
【図３】
0003206387.tif 000005
【図４】
0003206387.tif 000006
【図５】
0003206387.tif 000007
【図６】
0003206387.tif 000008
【図７】
0003206387.tif 000009
【図８】
0003206387.tif 000010
【図９】
0003206387.tif 000011
【図１０】
0003206387.tif 000012
【図１１】
0003206387.tif 000013
【図１２】
0003206387.tif 000014
【図１３】
0003206387.tif 000015
【図１４】
0003206387.tif 000016
【手続補正書】
【提出日】平成28年7月20日(2016.7.20)
【手続補正１】
【補正対象書類名】実用新案登録請求の範囲
【補正対象項目名】全文
【補正方法】変更
【補正の内容】
【実用新案登録請求の範囲】
【請求項１】
先端部に位置している刃部を有する略円柱状の本体部と、
長尺状の一対の第１部材を有するストッパー部と、を備え、
前記ストッパー部は、前記一対の第１部材のそれぞれの先端部が前記刃部よりも前記本体部の後端部側において前記本体部の長手方向に沿って移動可能な状態で、前記本体部に取り付けられている、歯科用ドリル。
【請求項２】
前記本体部は、
その外周部において回転軸を間に挟んで互いに対向するように位置している一対の第１凸部と、
前記一対の第１凸部よりも後端部側に位置しており前記本体部の長手方向に沿って延びている貫通溝と、をさらに有し、
前記ストッパー部は、
一端部側にネジ部を有しており前記貫通溝に挿通可能な軸状の第２部材と、
前記ネジ部に螺合可能な環状の第３部材と、をさらに有し、
前記一対の第１部材はいずれも、
その長手方向に沿って位置しており前記一対の第１凸部を挿通可能な複数の第１貫通孔と、
前記複数の第１貫通孔よりも後端部側に位置しており前記第２部材を挿通可能な第２貫通孔と、を有し、
前記第２部材は、その他端部側に位置しており直径が前記第２貫通孔の直径よりも大きい係止部をさらに有する、請求項１に記載の歯科用ドリル。
【請求項３】
前記本体部は、その外周部において前記本体部を間に挟んで互いに対向するように位置している一対の第１凸部をさらに有し、
前記ストッパー部は、
両端部側に一対のネジ部を有する軸状の第２部材と、
前記一対のネジ部にそれぞれ螺合可能な環状の一対の第３部材と、をさらに有し、
前記一対の第１部材はいずれも、
その長手方向に沿って位置しており前記一対の第１凸部を挿通可能な複数の第１貫通孔と、
前記複数の第１貫通孔よりも後端部側に位置しており前記第２部材を挿通可能な第２貫通孔と、を有し、
前記第２部材は、その長手方向における中央部に位置しており前記本体部を挿通可能な環状の第１部位をさらに有する、請求項１に記載の歯科用ドリル。
【請求項４】
前記本体部は、
その外周部において前記本体部を間に挟んで互いに対向するように位置している一対の第１凸部と、
前記一対の第１凸部よりも後端部側に位置しており前記本体部の長手方向に沿って延びている貫通溝と、をさらに有し、
前記ストッパー部は、
一端部側にネジ部を有しており前記貫通溝に挿通可能な軸状の第２部材と、
前記ネジ部に螺合可能な環状の第３部材と、をさらに有し、
前記一対の第１部材はいずれも、
その長手方向に沿って位置しており前記一対の第１凸部を挿通可能な複数の第１貫通孔と、
前記複数の第１貫通孔よりも後端部側に位置しており前記第２部材を挿通可能な第２貫通孔と、
先端部に接続しており前記本体部を挿通可能な環状の第２部位と、を有し、
前記第２部材は、その他端部側に位置しており直径が前記第２貫通孔の直径よりも大きい係止部をさらに有する、請求項１に記載の歯科用ドリル。
【請求項５】
前記本体部は、その外周部において回転軸を間に挟んで互いに対向しており前記本体部の長手方向に沿って位置している複数の挿通孔をさらに有し、
前記一対の第１部材はいずれも、
互いに対向するように位置しており前記複数の挿通孔に挿通可能な一対の第２凸部と、
先端部に接続しており前記本体部を挿通可能な環状の第２部位と、を有する、請求項１に記載の歯科用ドリル。